(57)【要約】【課題】装用者が容易に装用可能であり、かつ、装用した瞬間に感じられる暖かさを含めた十分な保温性を備える、指袋付靴下を提供する。【解決手段】筒状に編製された胴部及び爪先部とから構成された靴下であって、爪先部には足指を独立して挿納可能とされた５つの指袋を備え、該胴部・該爪先部・該指袋の装用面に起毛処理がなされている。また、靴下を編製する原料糸の少なくとも一部に吸湿発熱性を示す繊維を含む糸が使用される。【選択図】図２
0003205654.tif 000002
【実用新案登録請求の範囲】
【請求項１】
筒状に編製された胴部及び爪先部とから構成された靴下であって、
該胴部及び爪先部の装用面が起毛処理されている、
ことを特徴とする、靴下。
【請求項２】
前記爪先部には、少なくとも一本の足指が独立して挿納可能とされた指袋を備え、該指袋の装用面が起毛処理されている、
ことを特徴とする、請求項１に記載の靴下。
【請求項３】
前記爪先部には、足指を独立して挿納可能とされた５つの指袋を備え、該指袋の装用面が起毛処理されている、
ことを特徴とする、請求項２に記載の靴下。
【請求項４】
前記靴下は、少なくとも一部に吸湿発熱性を示す繊維を含む糸によって編製されている、
ことを特徴とする、請求項１乃至請求項３のいずれか一の請求項に記載の靴下。
【考案の詳細な説明】
【技術分野】
【０００１】
本考案は、靴下に関するものである。より詳しくは、つま先部分に少なくとも１つの足指を他の足指から独立に収納する指袋を備えた靴下に関するものである。
【背景技術】
【０００２】
冬期などの寒期に足部、特に足指部に冷えを訴える患者は多く、近年では寒期以外の季節であっても空調による足部の冷えが問題になることも少なくない。冷えを感じ易い足部の保温を手軽に行なう目的で靴下が広く使用されており、様々な保温性に優れた靴下が提供され、単なる冷感の緩和のみならず凍傷の予防等に広く利用されている。
【０００３】
ところで、空調による足部の冷えを緩和する目的で靴下が装用された場合、例えば事務作業時にはその保温性により快適に過ごすことができるが、歩行時や作業場所を変えた場合には冷えを全く感じないばかりか暑さを感じ、時に発汗するようなことはしばしば発生することである。このような場合、通常の靴下では、靴下本体から爪先部分にかけて概ね筒状に編製されているため、隣接する足指の間の湿気が抜け難く、湿気による不快感を感じたり不潔の原因になったりすることが懸念される。
【０００４】
このような課題に対し、靴下の爪先部分に５本の足指を別々に挿納できる指袋を形成した靴下（以下、「指袋付靴下」という）が提案されている。このような指袋付靴下の一例として、特開平０７−１００１６５号公報の図１に開示された発明を挙げることができる。この指袋付靴下では、各足指を独立した指袋に挿納して装用するため、足指間の湿気が抜け易い。また、発汗した際にも指袋を形成する編地がこれを吸収するので、湿気による不快感を感じたり不潔の原因になったりすることも起こり難い。
【０００５】
しかしながら、人間の足指は形状や大きさが各人によって様々であり、指袋を平編みにて編成した従来の指袋付靴下では指袋が足指の大きさや形状に合わず装用することが容易でない場合が発生するという問題があった。なお、指袋を大きくすると装用が困難な場合が発生するという問題は緩和されるが、靴下はこれを装用した状態でさらに靴を履くことが普通に行なわれるので、このようにすると靴を履きにくくなるという問題が発生していた。
【０００６】
また、平編みにて編製された指袋付靴下では保温性が不足する場合も生じている。さらに、保温具である靴下と言えども保管時には低温であることが多く、このような低温の靴下を装用すると、装用者は靴下の温度によって冷たさを感じる。特に、足指を含む足部の冷えを感じた際には、保温具である靴下を装用した瞬間に感じられる暖かさは、装用者に大きな満足感を与え得るものであるが、平編みにて編製された従来の指袋付靴下ではこのような満足感を与えることはできなかった。
【先行技術文献】
【特許文献】
【０００７】
【特許文献１】特開平０７−１００１６５号公報
【考案の概要】
【考案が解決しようとする課題】
【０００８】
本考案が解決しようとする課題は、上記説明したとおり、装用者が容易に装用可能であり、かつ、装用した瞬間に感じられる暖かさを含めた十分な保温性を備える靴下を提供することである。
【課題を解決するための手段】
【０００９】
（１）以上で説明した課題を解決するため、本考案においては、
筒状に編製された胴部及び爪先部とから構成された靴下であって、
該胴部及び爪先部の装用面が起毛処理されている、
ことを特徴とする、靴下としている。
【００１０】
本考案に係る靴下は、典型的には主糸に補強糸を加えて編まれた添糸編構成の編地によって構成される。装用者は靴下を装用した状態で歩行したり靴を履いたりするのであるから、強い摩擦に耐え得ることが必要である。また、激しい動きにさらされても装用者の足から抜け落ちてしまわないだけの張力を維持できなければならない。一方で、靴下は直接肌に触れるものであるから、優れた装用感を得るために表面の滑らかさや軟らかさも必要である。添糸編構成は、くるみやかぶせとも言われるとおり、一方の糸（主糸）が他方（補強糸）を覆うように編んだ組織であるので、前記のような要求を満たすことができる。具体的には、本考案に係る靴下は、外部から視認されやすい主糸にはウール等の美しく肌触りにも優れた素材の糸を用い、外部からあまり視認されることのない補強糸には丈夫で強い張力に耐えるポリウレタン糸を用いることが好ましい。このような構成を採用することで、機能性・耐久性に優れ、かつ、意匠性や肌触りも良好な靴下とすることができる。
【００１１】
なお、本考案に係る靴下の編地を異なるものとする、または、他の構成を追加することも可能である。例えば、添糸編構成にパイル糸を加えてパイル層を備えた編地とすることもできる。パイル糸は主糸とともに編まれているものの編地層の面にリング状にわな（ループ）を出すように編製される。これにより、空気を多く含んだパイル層を備えた編地となり、保温性が良好な靴下が得られる。
【００１２】
筒状に編製された胴部及び爪先部の装用面、すなわち、靴下を装用した際に装用者の肌に直接接する面が起毛処理されることは、本考案の最も重要な特徴である。ここで起毛処理とは、典型的には編地の表面を針布や表面の粗いローラーで引っ掻いて毛羽立たせる処理を指している。また、対象製品の生産数量や寸法に応じて、表面の粗い平板やローラ、または、金属製または樹脂製のブラシによる自動処理のみならず、これらを用いて手作業によって起毛処理してもかまわない。このような起毛処理により、糸が編製された比較的固く締まった編地表面から無数の細い繊維が立ち上がって起毛部が形成され、ここが多くの空気を含んで保温性が高まり、また、肌触りも柔らかく感じるようになる。
【００１３】
普通の編地の靴下では、装用した瞬間に肌に触れた編地の温度のために冷たさを感じる場合がある。一方、装用面が起毛処理されていると、最初に肌に触れるのはきわめて細く熱容量の小さい起毛部の繊維であるため、装用した瞬間に冷たさを感じることは皆無である。むしろ、多くの空気を含んだ起毛部で冷たい外気と肌が遮断されるため、装用した瞬間から装用者に暖かさを感じさせることができる。冷えを不快に感じて靴下を使用する装用者にとって、多くの空気を含んでいることによる保温性の高さはもちろん重要であるが、装用した瞬間に暖かさが感じられることは大きな満足感を与えることができるものであり、これは本考案に特徴的な優れた作用効果である。なお、保温性（または断熱性）とは肌と外気の間での熱移動をどれほど妨げることができるかを示しており、これが高いということは長時間靴下を装用した際の冷えを防ぎ暖かく過ごせることを示す。一方、熱容量とは物体を温めるために必要な熱量を示しており、これが低いとわずかの熱でも物体の温度が高まるので、熱容量が低いということは冷たい靴下をはいた際に肌から奪われる熱が少なく素早く暖かさを感じられることを示す。保温性（断熱性）が高く熱容量が低い物質の代表は空気であり、空気を多く含む起毛部が靴下の装用面に設けられることは極めて合理的である。
【００１４】
（２）以上で説明した課題を解決するため、本考案においては、
前記爪先部には、少なくとも一本の足指が独立して挿納可能とされた指袋を備え、該指袋の装用面が起毛処理されている、
ことを特徴とする、（１）に記載の靴下としている。
【００１５】
本考案に係る靴下においては、爪先部に少なくとも一本の足指が独立して挿納可能とされた指袋を備えている。指袋は典型的には親指を挿納可能とされ、この場合には靴下はいわゆる足袋に類似の構造となる。なお、指袋を別の指、例えば小指を挿納可能とすることも可能であるし、２つ以上の指袋を備えることも可能である。
【００１６】
装用した瞬間に暖かさが感じられ、保温性が高く、装用中に冷えを感じにくい靴下は有用ではあるものの、例えば寒期以外の時期に事務作業中の空調による冷えを防ぐ目的で使用された場合には歩行時や作業場所を変えた場合に暑さを感じたり、発汗したりする事態が生じ得る。このような場合には、通常の靴下では特に足指の間の湿気が抜け難いために湿気による不快感を感じたり不潔の原因になったりすることが起こり易いが、足指を個別に挿納可能な指袋を備えていれば、まず湿気が指袋を構成する編地に吸収され、その後蒸散するのでこのような問題が発生しない。指袋は少なくとも足指の中で最大であって周りに水虫等の疾患も発生しやすい親指を挿納可能なものが備えられていることが好ましいが、これに限られないことはすでに説明したとおりである。
【００１７】
なお、指袋の装用面にも起毛処理がなされていることが好ましい。足が冷えた際には、冷えてしまった隣接する足指までもが不快な冷たさ感じさせる場合も少なくないが、指袋の装用面に保温性に優れて装用した際に暖かさを感じさせる起毛処理がなされていれば、このような不快感を感じさせることもなくなり、装用者により高い満足感を与えることができるからである。
【００１８】
（３）以上で説明した課題を解決するため、本考案においては、
前記爪先部には、足指を独立して挿納可能とされた５つの指袋を備え、該指袋の装用面が起毛処理されている、
ことを特徴とする、（２）に記載の靴下としている。
【００１９】
本考案はより好ましくは、５本の足指それぞれを挿納可能なように５つの指袋を備えており、これの装用面が起毛処理されているとよい。足が冷えた場合にもっとも冷たさを強く感じるのは、通常は端部に当たる親指または小指であろうが、５本の足指すべてを個別に包み込んで暖かさを感じさせることが装用者にもっとも大きな満足感を与えられることは明らかだからである。
【００２０】
（４）以上で説明した課題を解決するため、本考案においては、
前記靴下は、少なくとも一部に吸湿発熱性を示す繊維を含む糸によって編製されている、
ことを特徴とする、（１）〜（３）のいずれか一に記載の靴下としている。
【００２１】
すでに説明した通り、装用面に起毛処理を行なうことでこの部分が非常に多くの空気を含んだ熱容量の小さい保温層となり、装用した瞬間から装用者に暖かさを感じさせることができるのであるが、ここで、本考案に係る靴下を吸湿発熱性を示す繊維を含む糸で編製していれば、この効果はより顕著となる。つまり、起毛処理をすることで糸を構成する繊維の一部が引き出されて立ち上がった状態となっているのであるが、吸湿発熱性を示す繊維を含む糸を使用していれば、この起毛部に吸湿発熱性を示す繊維が含まれることになる。装用者がこのような靴下を装用すると、皮膚の湿気が吸湿発熱性を示す繊維に吸着されて発熱し、これが暖かさとして装用者に感じられることになる。これにより、保温性によって暖かさを感じさせるだけではなく積極的に発熱することによって暖かさを感じさせることになるので、装用時の暖かさが極めて強く感じられるのである。
【００２２】
もちろん、起毛部ではなく編地部に含まれる吸湿発熱性を示す繊維も、やがて皮膚から蒸散する湿気を吸着して発熱をはじめるので長時間にわたって発熱がゆるやかに継続できるという効果を奏する。しかしながら、装用の瞬間に感じられる暖かさは装用者にとって印象的であり、その満足感に大きな影響を与えるものであるので、起毛部に多くの吸湿発熱性を示す繊維が含まれることが好ましい。例えば、編地をいわゆるパイル編組織とした場合には、起毛処理で毛羽立ちを発生するパイル糸の少なくとも一部に吸湿発熱性を示す繊維を使用しておくと良い。
【００２３】
また、靴下はしばしば外部から視認される衣類であるので  美しい外観を備えることが好ましい。この為、本考案に係る靴下は美しい艶を示すウールと吸湿発熱繊維を混紡して得た糸によって編製することが特に好ましい。
【００２４】
（５）以上で説明した課題を解決するため、本考案においては、
靴下を編製する第一のステップと、
該第一のステップで得られた靴下を熱処理する第二のステップと、
該第二のステップで得られた靴下の装用面を起毛処理する第三のステップを含む
ことを特徴とする、（１）〜（４）に記載の靴下の製造方法としている。
【００２５】
装用面に起毛処理を行った靴下では多くの空気を含む起毛層が形成される為に、通常の靴下と比較して編地が厚めになりがちである。この為、本来の大きさで靴下を編製すると装用者が靴下を装用する際に足が靴下に入りにくくなりかねない。特に、５本の足指のそれぞれを挿納可能とされた５つの指袋を備えた靴下では、比較的小さな指袋にそれぞれの足指を挿納しなければならず、そもそも、足指の形や大きさは個人差が大きく、指袋の形状等を少々工夫しても一部の利用者にとっての解決にしかならないので、この課題は大きい。一方で、それぞれの指袋を大きく編製すると、足指を指袋に挿納することは容易となるものの、足指部に５本の指袋分の余分な編地が余ることになるので、装用者が余分な編地で違和感を感じたり、靴下を装用したまま靴を履こうとした際に爪先部が窮屈で履きにくくなってしまう事態が生じかねない。
【００２６】
本願の考案者は、上記課題を従来よりも伸びが良い編地とし、足指の形状や大きさに関わらず指袋が柔軟に伸縮してフィットさせることで指袋を過度に大きくすることなく装用の容易さを確保しようとした。もっとも、指袋は比較的小さな編地からなるため、単に弾性に極めて富む弾性糸によって編製するのみでは靴下本体はさておき、おのおのの指袋に満足できる伸縮性を付与することはできなかった。
【００２７】
そこで本願の考案者は鋭意研究を重ね、次のようなプロセスによれば指袋部を含む全体が良好な伸縮性を備えた靴下が得られることを見出した。すなわち、第一のステップで、本来の大きさよりも十分に大きな寸法の靴下を編製する。第一のステップでは装用面にはまだ起毛処理がなされていないが、この段階での靴下の大きさは少なくとも、仮に装用面が起毛処理されていたとしても装用者が十分容易に足を靴下に入れることができる程度以上に設定する。靴下が指袋を備えていた場合には、仮に装用面が起毛処理されていたとしても、装用者の足指が、指袋に容易に挿納できる程度でなければならないことは言うまでもない。
【００２８】
続く第二のステップで、第一のステップで得られた靴下に熱処理を行う。熱処理には任意の常法を用いることができるが、一例としては、タンブラー乾燥を行うことができる。これによって、第一のステップで得られた靴下は収縮し、本来の大きさに近い大きさとなる。なお、靴下が熱による収縮をほとんどしない素材のみで構成されている場合には、熱処理によって靴下を収縮させることはできないが、通常靴下の編地の少なくともその一部に使用されるウレタン系繊維やナイロン系繊維であれば十分な熱収縮性を示すので、本法は特殊なケースを除けば適応可能である。
【００２９】
さらに第三のステップで、装用面に起毛処理を行う。起毛処理自体は任意の常法を用いることができるが、比較的複雑な形状をした靴下、特に、５本の指袋を備える靴下では、指袋部を含めた全体のむらのない起毛を行うため、横幅の広めの型板（例えば１２ｃｍ乃至１５ｃｍなど）を用いて靴下を横方向に十分に伸ばした状態で、起毛鉄布を備えたローラーに掛けるという処理を行うことができる。これによって、靴下の全体にむらのない起毛がなされ、前記したような優れた効果を奏するようになる。
【００３０】
ところで、必要に応じて起毛処理に続いて剪毛処理を行うこともできる。起毛加工でできた毛羽はその状態ですでに十分に機能的であるが、これをシャーリング機に掛けて同じ長さに切りそろえる剪毛処理を行うことで、良好な外観と滑らかな肌触りが得られるので、このような点を重視する装用者の満足感を高めることができるのである。
【００３１】
（６）以上で説明した課題を解決するため、本考案においては、
前記第三のステップで得られた靴下を熱処理する第四のステップを含む
ことを特徴とする、（５）に記載の靴下の製造方法としている。
【００３２】
すでに説明したとおり、編製された靴下を熱処理し、さらに起毛処理することで、保温性の様な装用時の機能のみならず、装用のし易さなどの点についても優れた靴下が得られるのであるが、この後に第四のステップを設けてここでさらなる熱処理を行うこともできる。これによってさらに収縮させることで、起毛処理時に発生したわずかな伸びを修正し、また、起毛処理後に収縮させることで起毛の密度を高めて、さらに保温性や質感に優れた優れた靴下を得ることができるのである。
【考案の効果】
【００３３】
（１）胴部及ぶ爪先部の装用面が起毛処理されている靴下としたので、編地層の表面に空気を多く含み保温性が高く熱容量の小さい起毛部ができ、これによって装用時に優れた保温性が得られるのみならず、装用した瞬間から暖かさが感じられ、装用者に高い満足感を与えることができるという効果を奏する。
【００３４】
また、起毛部は比較的固くしまった編地表面から無数の細い繊維が立ち上がって成るので、保温性に富むのみならず、肌触りもやわらかく感じられるという効果を奏する。
【００３５】
（２）爪先部に少なくとも一本の足指が独立して挿納可能とされた指袋を備え、これの装用面が起毛処理されているので、発汗時などに足指の間にたまりがちな湿気を吸収し、その後蒸散するので、湿気が原因の不快感を発生したり水虫等の疾患の原因にならないという効果を奏する。
【００３６】
また、装用面が起毛処理された指袋に足指が独立に挿納されるので、隣接する足指の冷たさが感じられることもなく、装用者により高い満足感を与えることができるという効果を奏する。
【００３７】
（３）足指を独立して挿納可能とされた５つの指袋を備え、これの装用面が起毛処理されているので、（２）の効果がますます顕著となる。
【００３８】
（４）靴下を、少なくとも一部に吸湿発熱性を示す繊維を含む糸によって編製されていることとしたので、装用者が装用した際に、皮膚の湿気が吸湿発熱性を示す繊維に吸着されて発熱し、装用時の暖かさをきわめて強く感じさせることができるという効果を奏する。とくに、起毛処理で発生する毛羽の部分の少なくとも一部に吸湿発熱性を示す繊維が使用されれば、装用者が装用して遅滞なく強い暖かさを感じるため、暖かさに対する満足感を非常に高めることができる。また、編地部に吸湿発熱性を示す繊維を含めた場合には、皮膚から蒸散する湿気を少しずつ吸着して発熱するので、長時間にわたって緩やかな発熱が継続するという効果を奏する。
【００３９】
（５）靴下を編製する第一のステップと、該第一のステップで得られた靴下を熱処理する第二のステップと、該第二のステップで得られた靴下の装用面を起毛処理する第三のステップを含む靴下の製造方法としたので、伸縮性に優れ、指袋を備える場合には指袋部も良好な伸縮性を備えてフィット性に優れ、起毛処理にもかかわらず容易に装用することができて靴を履く際にも障害になりにくい優れた靴下を提供できるという効果が得られる。
【００４０】
なお、剪毛処理を加えた場合には、起毛部の長さがそろった良好な外観と滑らかな肌触りが得られるという効果を奏する。
【００４１】
（６）起毛処理した靴下を熱処理する第四のステップを含む靴下の製造方法としたので、寸法形状が正確であり、また、起毛の密度が高い、保温性や質感に優れた靴下を提供できるという効果を奏する。
【図面の簡単な説明】
【００４２】
【図１】本考案に係る靴下の一実施例を示した説明図である。
【図２】本考案に係る靴下の一実施例の断面を示した説明図である。
【考案を実施するための形態】
【００４３】
以下、本考案に係る靴下の実施例を図面を用いて説明する。
【実施例１】
【００４４】
図１は、本考案に係る靴下の一実施例を示した説明図であって、図２は図１のＡ−Ａ’部の断面を示す説明図である。
【００４５】
靴下（１）は、胴部（２）と爪先部（３）からなり、本実施例では爪先部（３）には装用時に５本の足指をそれぞれ挿納可能な５つの指袋（４）を設けた。また、歩行時等の動きのある際にも装用している靴下がずり落ちることを防止するため、本実施例では胴部（２）の開口部付近にゴム糸埋設部（５）を設けた。なお、爪先部（３）の指袋（４）は例えば親指に対応するもの一つのみを備えて足袋の様な形状にするなど、本考案に係る靴下は必要に応じて様々な形状のものとすることができる。また、ゴム糸埋設部（５）の有無の選択も自由であり、また、実現方法も任意の常法によることができる。これらの部分は本考案の最も重要な特徴点というべき部分ではないからである。
【００４６】
胴部（２）と爪先部（３）は、美観に優れるウールと吸湿発熱性を示す繊維である日本エクスラン工業株式会社のエクス（登録商標）を混紡して得た糸を主糸に、ポリウレタン弾性糸を補強糸にして添糸編構成の編地によって構成している。これにより、ポリウレタン弾性糸の十分な弾性と強度、ウールの美観と保温性、そして、吸湿発熱性を示す繊維が発生する装用時の熱によって、暖かさを実感しやすく優れた美観の靴下を得ることができている。
【００４７】
胴部（２）や爪先部（３）のより詳細な構造は、Ａ−Ａ’部の断面を示す図２によって理解される。外面は編地層（６）であるが、着用面である内面は起毛層（７）になっており、この構造は胴部（２）のみならず爪先部（３）の指袋においても共通である。起毛層（７）は主に主糸であるウールと吸湿発熱性を示す繊維の毛羽でなっており、比較的しっかりと編み込まれた編地層（６）と異なり、極めて細い繊維が独立に立ち上がって多くの空気を含んでいる状態である。編地層（６）と異なり起毛層（７）は非常に多くの空気を含んだ熱容量の小さい組織であるので、装用時に通常は冷たい繊維の温度を装用者が感じることはほとんどない。つまり、保温性の高い衣類であっても、冷たい衣類を装用した瞬間には衣類の冷たさを感じるのが普通であるが、本考案に係る靴下では装用した瞬間にも冷たさを感じることがほとんどない。むしろ、それまで外気に触れていた皮膚が保温性の高い起毛層で保温されるので、装用した瞬間から暖かさを感じられる、装用者に高い満足感を与えられる靴下が得られている。
【００４８】
また、本実施例では起毛層（７）に吸湿発熱性を示す繊維が含まれているので、装用者の皮膚の湿気を吸着して繊維が発熱し、装用者はますますはっきりと暖かさを感じることができるという効果を奏している。
【００４９】
なお、以上の実施例では、吸湿発熱性を示す繊維を含む主糸とポリウレタン弾性糸である補強糸で添糸編構成とした例について説明したが、本考案はこれに限られるものではない。この構成にパイル糸を加えてパイル編組織からなる編地とすることもできる。また、吸湿発熱性を示す繊維を使用しない場合であっても、本考案に係る靴下はなお十分な温かさを実感できる優れた考案であり、その趣旨を変えない限度において様々な形態をとり得るものである。
【００５０】
ところで、本実施例に係る靴下の製造方法について簡単に補足する。本実施例に係る靴下は、第一のステップで相当に大きめに編製した靴下を得る。最終的には、起毛処理のなされた靴下になるので、起毛部の厚みなどの影響で靴下の装用（とくに、足指を各々の指袋に挿納する行為）が難しくなる懸念があり、それゆえ、十分に大きく靴下を編製して本質的にこの大きさまでの伸びを許容することを企図するのである。
【００５１】
次の第２のステップで、熱処理、具体的にはタンブラー乾燥によって靴下を収縮させる。このステップは、靴下の大きさを本来のものに近づけること、及び、起毛処理を行い易い大きさにすることを企図している。
【００５２】
第３のステップで起毛処理を行う。むらのない美しい仕上がりを得るため、横幅が１２ｃｍ乃至１５ｃｍと大きめの型板を使用し、起毛鉄布を備えたローラーに掛けることで起毛する。さらに、第４のステップでさらに熱処理を行い、寸法等の調整及び起毛の緻密化を図り完成としている。
【００５３】
以上のようなステップを含む靴下の製造方法により、伸縮性に優れて足指にフィットし、起毛処理されているにもかかわらず装用が容易な本考案に係る靴下を得ることができる。
【産業上の利用可能性】
【００５４】
以上説明したとおり、本考案は、装用者が容易に装用可能であり、かつ、装用した瞬間に感じられる暖かさを含めた十分な保温性を備える靴下を提供するものであり、産業上の利用価値は頗る高い。
【符号の説明】
【００５５】
１    靴下
２    胴部
３    爪先部
４    指袋
５    ゴム糸埋設部
６    編地層
７    起毛層
【図１】
0003205654.tif 000003
【図２】
0003205654.tif 000004